【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
原稿を搬送する原稿搬送部と、
第１の透明部材と、
前記原稿搬送部によって搬送される前記原稿の第１の面の画像を前記第１の透明部材を介して読み取る第１の読取素子と、
前記第１の透明部材の表面上の第１の領域に設けられ、樹脂製シートであり且つ接地されている第１の導電性シート部材と、
を備え、
前記第１の透明部材の、前記原稿の前記第１の面と接する前記表面上の第２の領域にはフッ素含有有機化合物がコーティングされており、
前記第２の領域は、前記原稿が搬送される第１の方向において前記第１の領域より下流側に位置しており、
前記第１の領域は、前記フッ素含有有機化合物がコーティングされていない領域を含むことを特徴とする画像読取装置。
【請求項２】
前記第１の導電性シート部材は、前記第１の領域に導電性接着手段によって貼り付けられていることを特徴とする請求項１に記載の画像読取装置。
【請求項３】
前記原稿搬送部は、前記第１の透明部材及び前記第１の読取素子を含む読取部に対して回動し、
前記原稿搬送部は、第１の搬送部材、及び該第１の搬送部材と前記第１の透明部材の前記表面との間にギャップを形成する第１の突起部を含み、
前記第１の透明部材の、前記原稿搬送部が前記読取部に対して閉じた状態において前記第１の突起部が位置する領域に対応する第３の領域には、第１の当接部材が設けられていることを特徴とする請求項１または２に記載の画像読取装置。
【請求項４】
前記ギャップは、０．１ｍｍ以上且つ１．０ｍｍ以下であることを特徴とする請求項３に記載の画像読取装置。
【請求項５】
前記第１の当接部材は、金属板を含むことを特徴とする請求項３又は４に記載の画像読取装置。
【請求項６】
前記第３の領域は、前記フッ素含有有機化合物がコーティングされていない領域を含むことを特徴とする請求項３乃至５のいずれか一項に記載の画像読取装置。
【請求項７】
前記第１の当接部材は、前記第３の領域に接着手段によって貼り付けられている当接部材を含むことを特徴とする請求項３乃至６のいずれか一項に記載の画像読取装置。
【請求項８】
前記第３の領域は、前記第１の読取素子の画像読取領域外に位置していることを特徴とする請求項３乃至７のいずれか一項に記載の画像読取装置。
【請求項９】
前記原稿搬送部は、
第２の透明部材と、
前記原稿の前記第１の面とは反対側の第２の面の画像を該第２の透明部材を介して読み取る第２の読取素子と、
前記第２の透明部材の表面上の第４の領域に設けられ、樹脂製シートであり且つ接地されている第２の導電性シート部材と、
を備え、
前記第２の透明部材の、前記原稿の前記第２の面と接する前記表面上の第５の領域にはフッ素含有有機化合物がコーティングされており、
前記第５の領域は、前記第１の方向において前記第４の領域より下流側に位置している
ことを特徴とする請求項３乃至８のいずれか一項に記載の画像読取装置。
【請求項１０】
前記原稿搬送部は、第２の搬送部材、及び該第２の搬送部材と前記第２の透明部材の前記表面との間にギャップを形成する第２の突起部を含み、
前記第２の透明部材の、前記第２の突起部が位置する領域に対応する第６の領域には、第２の当接部材が設けられていることを特徴とする請求項９に記載の画像読取装置。
【請求項１１】
前記第１の透明部材に設けられている前記第１の導電性シート部材の電気抵抗値は、５００ｋΩ以下であることを特徴とする請求項１乃至１０のいずれか一項に記載の画像読取装置。
【請求項１２】
前記第１の透明部材に設けられている前記第１の導電性シート部材は、超高分子量ポリエチレンシートを含むことを特徴とする請求項１乃至１１のいずれか一項に記載の画像読取装置。
【請求項１３】
前記第１の透明部材の前記表面に垂直な第２の方向において、前記第１の透明部材の前記表面と前記第１の導電性シート部材の表面との間の距離は、０．０５ｍｍ以上且つ１．０ｍｍ以下であることを特徴とする請求項１乃至１２のいずれか一項に記載の画像読取装置。
【請求項１４】
前記フッ素含有有機化合物は、ケイ素含有パーフルポリエーテル化合物を含むことを特徴とする請求項１乃至１３のいずれか一項に記載の画像読取装置。
【請求項１５】
前記フッ素含有有機化合物は、ケイ素を含むことを特徴とする請求項１乃至１４のいずれか一項に記載の画像読取装置。
【請求項１６】
前記フッ素含有有機化合物は、真空蒸着によって前記第２の領域にコーティングされていることを特徴とする請求項１乃至１５のいずれか一項に記載の画像読取装置。
【請求項１７】
請求項１乃至１６のいずれか一項に記載の画像読取装置と、
前記第１の読取素子によって読み取られた画像に基づいて、被記録材に画像を形成する画像形成部と、
を備えることを特徴とする画像形成装置。
【手続補正２】
【補正対象書類名】明細書
【補正対象項目名】０００７
【補正方法】変更
【補正の内容】
【０００７】
本発明に係る画像読取装置は、原稿を搬送する原稿搬送部と、第１の透明部材と、原稿搬送部によって搬送される原稿の第１の面の画像を第１の透明部材を介して読み取る第１の読取素子と、第１の透明部材の表面上の第１の領域に設けられ、樹脂製シートであり且つ接地されている第１の導電性シート部材とを備え、第１の透明部材の、原稿の第１の面と接する表面上の第２の領域にはフッ素含有有機化合物がコーティングされており、第２の領域は、原稿が搬送される第１の方向において第１の領域より下流側に位置しており、第１の領域は、フッ素含有有機化合物がコーティングされていない領域を含むことを特徴とする。
【手続補正３】
【補正対象書類名】明細書
【補正対象項目名】００１５
【補正方法】変更
【補正の内容】
【００１５】
図１（ａ）及び（ｂ）に示されているように、画像読取装置２０１は、自動原稿搬送装置（以下、ＡＤＦ：Ａｕｔｏ  Ｄｏｃｕｍｅｎｔ  Ｆｅｅｄｅｒと呼ぶ。）（原稿搬送部）３０１と、ＡＤＦ３０１の下方に設けられ、ＡＤＦ３０１によって搬送される原稿の一方の面（表面、第１の面）の画像を読み取るためのリーダー（第１の画像読取部、読取部）３０２とを備えている。
ＡＤＦ３０１は、複数枚の原稿を分離し、リーダー３０２に給紙するものである。ＡＤＦ３０１は、給紙される複数枚の原稿を載置するための原稿トレイ３０４と、原稿トレイ３０４に載置された原稿を１枚ずつ分離給紙して、リーダー３０２に搬送するための原稿搬送手段３０３とを備えている。また、ＡＤＦ３０１は、リーダー３０２によって画像読み取りがなされた後、排紙された原稿を載置するための排紙トレイ３０５を備えている。
【手続補正４】
【補正対象書類名】明細書
【補正対象項目名】００１７
【補正方法】変更
【補正の内容】
【００１７】
そして、ＡＤＦ３０１の下方には、リーダー３０２が設けられている。リーダー３０２の内部には、ＡＤＦ３０１によって第１プラテンガラス（第１の透光部材、第１の透明部材）４１１上に搬送される原稿Ｇの表面画像や、原稿台ガラス４１３上に載置された原稿の画像を読み取るための第１画像読取手段４１４（第１の読取素子）が、不図示のレール上を副走査方向Ｔに沿って移動可能に設けられている。
第１画像読取手段４１４は、ＡＤＦ３０１によって搬送される原稿Ｇの表面画像を読み取る（原稿流し読み）際には、第１プラテンローラ４０６の対向側（下方）に設けられた第１プラテンガラス４１１の下方の第１位置Ａに停止して画像読み取りを行う。
一方、原稿台ガラス４１３上に載置された原稿の画像を読み取る（原稿固定読み）際には、第１画像読取手段４１４は、不図示のモーターの駆動により第１位置Ａから第２位置Ｂまで副走査方向Ｔに沿って移動走査することによって、原稿台ガラス４１３上の原稿画像の読み取りを行う。なお、ＡＤＦ３０１は、原稿台ガラス４１３上に原稿を載置するときのために、原稿台ガラス４１３の上面を露出できるように回動自在にリーダー３０２に支持されている。
【手続補正５】
【補正対象書類名】明細書
【補正対象項目名】００１８
【補正方法】変更
【補正の内容】
【００１８】
さらに、ＡＤＦ３０１の内部には、搬送される原稿Ｇの他方の面（裏面、第１の面の反対側の面である第２の面）の画像を読み取るために、第２プラテンローラ４０８の対向側に第２プラテンガラス（第２の透光部材、第２の透明部材）４１２が設けられている。また、第２プラテンガラス４１２を挟んで、第２プラテンローラ４０８に対向する位置Ｃに第２画像読取手段（第２の画像読取部、第２の読取素子）４１５が設けられている。
これにより、ＡＤＦ３０１によって原稿Ｇを搬送する場合には、第１画像読取手段４１４と第２画像読取手段４１５とによって原稿Ｇの表裏両面の画像を読み取ることができる。
【手続補正６】
【補正対象書類名】明細書
【補正対象項目名】００２１
【補正方法】変更
【補正の内容】
【００２１】
本発明に係る第１プラテンガラス４１１では、ガラス基板４２０の搬送原稿と接する原稿側表面上の搬送方向下流側の第１の領域（第２の領域、第５の領域）には、透明なフッ素コーティング（フッ素含有有機化合物コーティング）１０３が施されている。
第１の領域は、第１プラテンガラス４１１の原稿側表面上の主走査方向５０１の両端部までは延在していない。
ここで、主走査方向５０１は、換言すると、第１プラテンガラス４１１の原稿側表面に平行な面内において、原稿の搬送方向（第１の方向）に垂直な方向である。
なお、フッ素コーティング１０３としては、例えばケイ素含有パーフルポリエーテル化合物コーティングが挙げられる。
【手続補正７】
【補正対象書類名】明細書
【補正対象項目名】００２４
【補正方法】変更
【補正の内容】
【００２４】
また、後に図３を用いて説明するように、本発明に係る第１プラテンガラス４１１では、非コート領域５００を設けて、そこに導電性樹脂シート部材１０１（第１の導電性シート部材、第２の導電性シート部材）や調整部材（第１の当接部材）６００を貼り付けている。
これは、フッ素コーティング１０３上に導電性樹脂シート部材１０１や調整部材６００を貼り付けると十分な接着力が得られずに剥がれてしまうことを防止するためである。
【手続補正８】
【補正対象書類名】明細書
【補正対象項目名】００２７
【補正方法】変更
【補正の内容】
【００２７】
図４に示されているように、第１プラテンガラス４１１には、第１プラテンガラス４１１の原稿側表面上の非コート領域５００（図２参照）のうちのフッ素コーティング１０３が施されている第１の領域の搬送方向上流側の第２の領域（第１の領域、第４の領域）の少なくとも一部を含むように、アース手段１０２としてのアルミテープが貼り付けられている。
そして、図３（ａ）、（ｂ）、（ｃ）及び図４に示されているように、該第２の領域には、アルミテープの上に不図示の導電性両面テープ（導電性接着手段）を用いて、導電性樹脂シート部材１０１が貼り付けられている。ここで示した実施形態では、第２の領域では、導電性樹脂シート部材１０１と第１プラテンガラス４１１との間にアルミテープ１０２が介在していない部分と、導電性樹脂シート部材１０１と第１プラテンガラス４１１との間にアルミテープ１０２が介在している部分とを含む。導電性樹脂シート部材１０１と第１プラテンガラス４１１との間にアルミテープ１０２が介在していない部分では、導電性両面テープによって導電性樹脂シート部材１０１と第１プラテンガラス４１１とが接着されている。導電性樹脂シート部材１０１と第１プラテンガラス４１１との間にアルミテープ１０２が介在している部分では、導電性樹脂シート部材１０１と第１プラテンガラス４１１とがアルミテープ１０２を介して導電性両面テープによって接着されている。即ち、導電性樹脂シート部材１０１とアルミテープ１０２とが導電性両面テープによって接着され且つアルミテープ１０２と第１プラテンガラス４１１とが導電性両面テープによって接着されている。
なお、本発明の第一乃至第三実施形態では、第２の領域と導電性樹脂シート部材１０１が貼り付けられている領域とは、略一致している。
【手続補正９】
【補正対象書類名】明細書
【補正対象項目名】００３４
【補正方法】変更
【補正の内容】
【００３４】
また、図３（ａ）及び（ｂ）に示されているように、第１プラテンガラス４１１の原稿側表面上の非コート領域５００（図２参照）のうちの主走査方向５０１の端部５０３を含む第３の領域５０４（第３の領域、第６の領域）には、調整部材６００が不図示の接着手段である両面テープによって貼り付けられている。
すなわち、図３（ａ）に示されている第一実施形態では、第１プラテンガラス４１１の原稿側表面上の主走査方向５０１の両端部近傍それぞれに調整部材６００が設けられている。
一方、図３（ｂ）に示されている第二実施形態では、第１プラテンガラス４１１の原稿側表面上の主走査方向５０１の一方の端部近傍のみに調整部材６００が設けられている。
また、図３（ｃ）に示されている第三実施形態では、第１プラテンガラス４１１の原稿側表面上の主走査方向５０１のいずれの端部近傍にも調整部材６００は設けられていない。
【手続補正１０】
【補正対象書類名】明細書
【補正対象項目名】００３７
【補正方法】変更
【補正の内容】
【００３７】
図５は、本発明における第１プラテンローラ４０６の斜視図を示している。
具体的には、本発明の第一実施形態では、図５に示されているような第１プラテンローラ４０６を保持しているプラテンローラホルダー７００（第１の保持部材）の主走査方向５０１の両側に設けられた手前側突き当て部（第１の突起部、第２の突起部）７０１と奥側突き当て部（第１の突起部、第２の突起部）７０２の双方に、図３（ａ）に示されるような両端部近傍に設けられた調整部材６００を当接させている。
それにより、第１プラテンガラス４１１と第１プラテンローラ４０６との間において、主走査方向５０１の手前側突き当て部７０１と奥側突き当て部７０２との間にわたって、所定のギャップｔ２だけ隙間を空けている。
【手続補正１１】
【補正対象書類名】明細書
【補正対象項目名】００４８
【補正方法】変更
【補正の内容】
【００４８】
なお、第２プラテンガラス４１２に同様に適用する場合、第１プラテンガラス４１１とは異なる実施形態の構成を適用しても構わない。
これにより、第１プラテンガラス４１１に設けられている調整部材６００の数と、第２プラテンガラス４１２に設けられている不図示の調整部材（第２の当接部材）の数とが、互いに異なる場合がある。
具体的には、第１プラテンガラス４１１に対しては、上記の第一乃至第三実施形態のいずれかが適用されるが、第２プラテンガラス４１２に対しては、上記の第一若しくは第三実施形態が適用される。
これは、第２プラテンガラス４１２と、第２プラテンローラ４０８と、プラテンローラホルダー７００と同様の構造で、第２プラテンローラ４０８を保持する不図示のプラテンローラホルダー（第２の保持部材）との間においては、上記の第二実施形態のような状況は無いからである。
なお、原稿の表面を読み取る第１画像読取手段４１４と、原稿の裏面を読み取る別の第２画像読取手段４１５を備えた画像読取装置を例示した。しかしながら、一つだけの画像読取手段を備えている画像読取装置にも本発明は適用できる。たとえば、原稿の一方の面を読み取った後に原稿を反転して画像読取手段に再度搬送するように構成された画像読取装置にも本発明は適用できる。
【手続補正１２】
【補正対象書類名】明細書
【補正対象項目名】００４９
【補正方法】変更
【補正の内容】
【００４９】
１０１  導電性樹脂シート部材（第１の導電性シート部材）
１０３  フッ素コーティング（フッ素含有有機化合物）
２０１  画像読取装置
３０１  自動原稿搬送装置ＡＤＦ（原稿搬送部）
４１１  第１プラテンガラス（第１の透明部材）
４１４  第１画像読取手段（第１の読取素子）
Ｇ  原稿